(57)【要約】      （修正有）【課題】屋根の上での作業者の落下防止のための保護綱を係止する用具を提供する。【解決手段】保護綱係止用具１は、屋根面アンカー２と、複数の屋根面アンカー２に架け渡して設けられる剛性を有する棒体３で構成され、屋根面アンカー２は、傾斜方向の隣り合う２列の馳（はぜ）Ｂに固定される、該馳方向に垂直な水平方向の２個の基礎体５と、其々の基礎体５に連結される２個の脚体４とで成り、基礎体５の其々は、２列の馳に着脱自在に其々固定される２個の馳固定金具１０と、馳固定金具１０を水平方向に連結する横架金具から成り、脚体４は、其々の下部が其々の基礎体５の横架金具に回動可能に固定され、対向して構成された上部同士が回動可能に適宜の角度θで固定され、搬送時に折り畳み可能にした、ことを特徴とする。【選択図】図１
0003215626.tif 000002
【実用新案登録請求の範囲】
【請求項１】
屋根の上に設置される落下防止保護綱を係止する用具であって、
屋根面アンカー２と、棒体３で構成され、
前記屋根面アンカー２は、２個の平行な基礎体５と、該基礎体５の上部に其々が略対称に設けられた２個の脚体４とで構成され、
該脚体４同士が対向して、其々の上部同士が回動可能に適宜の角度θで交差した状態で連結されて形成され、
前記基礎体５の其々は、屋根面Ａの傾斜方向の隣り合う２列の馳（はぜ）Ｂを着脱自在に挟持して固定する２個の馳固定金具１０と、該２個の馳固定金具１０を連結する、馳方向に垂直な水平方向の横架金具２０から成り、
該横架金具２０は、前記其々の脚体４の下部に回動可能に固定され、
前記棒体３は、複数の屋根面アンカー２の前記脚体４の上部に架け渡して設けられ、該棒体３を挿通して保護綱が摺動し係止する、
ことを特徴とする保護綱係止用具１。
【請求項２】
前記脚体４同士が成す角度θを縮小して、折り畳み可能にしたことを特徴とする請求項１に記載の保護綱係止用具１。
【考案の詳細な説明】
【技術分野】
【０００１】  屋根の上の作業者が落下するのを防止するための、屋根面に設置する用具に関する。
【背景技術】
【０００２】  屋根の上での作業中に誤って落下する危険があり、特に積雪地帯では、屋根に積もった雪氷を人の手で排雪することが行われ、この際に屋根の傾斜面で滑って、屋根の端部から滑落するという事故が起きている。このため、作業者に保護綱を装着し、保護綱を屋根の構造物に係止する落下防止の用具が種々提案されている。
関連する公知発明として、折板構造屋根用の親綱張設用支柱取付具の例（特許文献１参照）がある。
【先行技術文献】
【特許文献】
【特許文献１】実用新案登録第３０７６２０２号
【考案の概要】
【考案が解決しようとする課題】
【０００３】  特許文献１は、折版構造屋根の重合突出条部４に取付金具部Ａの挟持部５を締め付け挟持して、その上部に親綱張設用支柱２が立設状態となるように構成した親綱張設用支柱取付具が示されている。この例では、複数の親綱張設用支柱の間に親綱を張設しているので、親綱が弛緩すると、支柱近傍と中央部近傍とでは、親綱から屋根端までの距離が一定にならないという課題がある。また取付金具部Ａの構造が複雑であり、取り扱いと耐久性に課題がある。
本考案は、このような課題を解決した用具を提供するものである。
【課題を解決しようとするための手段】
【０００４】  本考案は、屋根の上に設置される落下防止用の保護綱を係止する用具であって、屋根面アンカーと、複数の前記屋根面アンカーに架け渡して設けられる剛性を有する棒体で構成される。前記屋根面アンカーは、２個の平行な基礎体と、該基礎体の上部に其々が略対称に設けられた２個の脚体とで構成され、該脚体同士が対向して、其々の上部同士が回動可能に適宜の角度θで交差した状態で連結されて形成される。
前記基礎体の其々は、屋根面Ａの傾斜方向（馳方向、第１の方向）の隣り合う２列の馳（はぜ）Ｂを着脱自在に挟持して固定する２個の馳固定金具と、該２個の馳固定金具を連結する、馳方向に垂直な水平方向（第２の方向）の横架金具から成る。該横架金具は、前記其々の脚体の下部に回動可能に固定される。
前記棒体は、複数の屋根面アンカーの前記脚体の上部に架け渡して設けられ、該棒体を挿通して保護綱が摺動し係止する保護綱係止用具とする。
また、前記脚体４同士が成す角度θを縮小して、搬送時に折り畳み可能にしたことを特徴とする保護綱係止用具とするのが好ましい。
【考案の効果】
【０００５】  本考案の屋根面アンカーは、既設の屋根面の馳部を利用して、馳固定金具によって容易に設置できる。この時、横架金具は脚部材に対して回動自在であるので、横架金具に取り付けられた馳固定金具は傾斜した馳に倣って、特別な調整を必要とせずに設置することができる。また、折り畳んで搬送、保管が可能である、
保護綱を係止する棒体が剛性を有し、屋根面の端部と平行に設置できるので、棒体と屋根端部との距離が一定となり、一定の長さの保護綱を使用して作業者が移動した場合に、屋根端部での立ち位置を一定にすることができ、安全に作業ができる。
【図面の簡単な説明】
【０００６】
【図１】本考案を説明する左側面図である。
【図２】同上の正面図である。
【図３】本考案の馳固定金具を説明する正面図である。
【図４】本考案の馳固定金具を説明する平面図である。
【図５】本考案の馳固定金具を説明する側面図である。
【図６】本考案の設置状況を説明する正面図である。
【図７】折り畳んだ状態を示す説明図である。
【考案を実施するための形態】
【０００７】  本考案を実施するための形態を、図１〜図７を用いて詳細に説明する。
本考案の保護綱係止用具は、屋根面に金属板の接合部を折り曲げ、かみ合わせた馳（はぜ）と呼ばれる突出部が、屋根の傾斜方向に向けて多数の平行な条を成して形成されている屋根に使用され、この馳を利用して固定される。
本考案の保護綱係止用具は、一方向に傾斜した屋根面に設置される場合と、２つの傾斜面が対向して凸に交差した屋根面の頂部を跨いで設置される場合とにおいて利用可能である。屋根面が水平の場合は当然可能である。
【実施例】
【０００８】  本考案の保護綱係止用具１は、屋根の上に設置される保護綱を係止する用具であって、図１〜図７に示すように、屋根面アンカー２と、複数の前記屋根面アンカー２に架け渡して設けられる棒体３で構成される。
屋根面アンカー２は、２個の平行な基礎体５の上部の其々に略対称の脚体４（４Ａ、４Ｂ）が設けられ、該脚体４Ａと４Ｂが対向して、其々の上部が交差した状態で連結されて形成される。
前記基礎体５の其々は、屋根面Ａの傾斜方向（馳方向でもある、以下、第１の方向と称する）の隣り合う２列の馳（はぜ）Ｂを着脱自在に固定する２個の馳固定金具１０と、該馳固定金具１０を連結する、馳方向に垂直な水平方向（以下、第２の方向と称す）の横架金具２０から成る。【０００９】  図３は基礎体５を説明する正面図である。同図において、屋根面と馳の部分は断面で示していて、馳の近傍を釘４０等で基礎材に固定される。
馳固定金具１０は、図３〜図５に示すように、断面形状がコの字形状の部分を有する金具１０Ａと１０Ｂが対向して組み合わせられ、相互のコの字形状の上部分１０Ａａと１０Ｂａの接触部を支点として、下部分１０Ａｂ、１０Ｂｂが作用点として馳Ｂを挟み、中央部１０ｃを馳固定ボルト・ナット１３で締めて固定するという機構を用いている。図で示すように、本例は馳を挟持する部分（１０Ａｂ、１０Ｂｂ）は１条の馳に対して馳方向に２か所としていて、挟持箇所が多いほど固定の効果が期待できる。
本例の馳固定金具１０は、前記コの字形状部のさらに上部に水平な平面部１０ｄを設け、この平面部を横架金具２０に基礎体固定ボルト・ナット１４で固定する。このボルト・ナットの固定作業の空間を確保するため一方の平面部１０ｅを前記コの字形状の部分から外側（第２の方向）に離して設けている。【００１０】  横架金具２０は、図３、図４に示すように、２列の馳に取り付けられる馳固定金具１０を水平方向（第２の方向）に連結する金具であって、本例では長手方向両側（第２の方向）に補強のためのフランジ部２１ａを備えた平板の横架金具２１で成り、この平面部が屋根面に平行に設置される。仕様によって異なる馳間隔に対応可能に、前記馳固定金具１０を固定するボル・トナット１４の位置を合わせるために、水平方向（第２の方向）の長穴２２を設けている。横架金具２０は後述の脚体４の脚部材３０の下部に回動可能に固定するため、前記平面部から立設した脚支持部２３を備える。また、雨水を排出する開口穴３９を設けている。【００１１】脚体４は、図１、図２に示すように、第２の方向に垂直で第１の方向に傾斜した、本例では２個の脚部材３０を有し、脚部材３０の下部が、基礎体５の横架金具２０の脚材支持部２３に、ボルト・ナット３４で連結する。組立時にはボルト・ナット３４を支点として回動可能に、組み立て後はボルト・ナット３４を固定する。
図１、図２の本例は、脚部材３０は平行な２個の形鋼を用いた部材で構成していて、中間部に補強材３６で連結している。脚体４は、２個の脚部材３０で構成するのが構造上安定していて好ましいが、本考案はこれにこだわらず１個の場合も含む。図１、図２に示す本例は、２個の脚部材３０の間隔が広い脚体４Ａの内側に脚部材３０の間隔が狭い脚体４Ｂを対向して組み合わせた例である。
脚体４Ａ、４Ｂの其々の脚部材３０は、対向する上部同士が其々の交差連結部３１でボルト・ナット３２で連結される。組立時にはボルト・ナット３２を支点として回動可能に、組み立て後は適宜の角度θで、ボルト・ナット３２で固定される。角度θは実用上５０°〜７０°が好ましい。本例では、脚体４Ａと４Ｂの其々の補強材３６の略中央部に角度固定部材３７を架け渡して両端部をボルト・ナット３８で固定している。角度固定部材３７の長さを変えることによって脚体４Ａと４Ｂの角度θを調節することができる。【００１２】  脚体４の上部に管締結金具３５を備え、前記棒体３は、複数の屋根面アンカー２の脚体４の管締結金具３５で固定されて、前記水平方向（第２の方向）に架け渡して設けられる。
前記棒体３は、剛性を有する直線で棒状の部材であって、実用上は単管と呼ばれる直径４８．６ｍｍの鋼管がよい。
屋根面アンカー２の位置は、馳方向に垂直な水平方向（第２の方向）に、屋根面アンカー２に設けられた棒体３が屋根面の端部Ｅと平行になるように配置する。【００１３】  つぎに使用法について説明する。
本発明の屋根面アンカー２を屋根面に設置する。傾斜面が１の場合は同一面上の傾斜方向の隣り合う２列の馳に掛かるように、横架金具２０の方向が馳に垂直の方向（第２の方向）に仮置きする。傾斜面が２の場合は傾斜面が交差した凸の頂部を跨いで横架金具２０の方向が馳に垂直の方向（第２の方向）に仮置きする。この時、角度固定部材３７を固定して、脚部材３０同士の角度θを一定に設置する
また、この時、横架金具２０は脚部材３０に対して回動自在であるので、横架金具２０に取り付けられた馳固定金具１０は傾斜した馳に倣って、特別な調整を必要とせずに設置することができる。
この後は、回動可能であった横架金具２０と脚部材３０はボルト・ナット３４によって、脚部材３０同士はボルト・ナット３２によって、締めつけて固定する。【００１４】  つぎに、２以上の複数の屋根面アンカー２を設置し、棒体３を架け渡して管締結金具３５を用いて固定する。
この際、複数の屋根面アンカー２の位置は、馳方向に垂直な水平方向（第２の方向）に、棒体３と屋根面の端部Ｅとが平行になるように配置する。屋根面が第１の方向に加え第２の方向にも傾斜している場合などは、屋根面アンカーは棒体３と屋根面の端部Ｅとが平行になるように設置する。
使用時は、保護綱の長さを調節してフックを棒体３に挿通して使用する。作業者の位置にならって保護綱のフックが棒体３を摺動し、かつ係止することができる。
上記のように、保護綱を係止する棒体３が剛性を有し、屋根面の端部Ｅと平行に設置できるので、棒体３と屋根端部Ｅとの距離が一定となり、一定の長さの保護綱を使用して作業者が移動した場合も、屋根端部での立ち位置を一定にすることができ、作業上安全である。
本保護綱係止用具を撤去するには、前記と逆の手順によって解体できる。
また、脚体４同士はボルト・ナット３２を支点として回動自在であるので、搬送時や保管時には、角度固定部材３７を取り外して、脚体４が成す角度θを縮小して、折り畳みすることができる。図７に折り畳んだ状態の屋根面アンカー２を示す。
【符号の説明】
【００１５】１  保護綱係止装置
２  屋根面アンカー
３  棒体
４（４Ａ、４Ｂ）  脚体
５  基礎体
１０（１０Ａ、１０Ｂ）  馳固定金具
１３  馳固定ボルト・ナット
１４  基礎体固定ボルト・ナット
２０  横架金具
２１  横架部材
２２  長穴
２３  脚支持部
３０  脚部材
３１  交差連結部
３２  ボルト・ナット
３４  ボルト・ナット
３５  管締結金具
３６  補強材
３７  角度固定部材
３８  ボルト・ナット
３９  開口穴
４０  釘
Ａ  屋根面
Ｂ  馳
Ｅ  屋根端部
【図１】
0003215626.tif 000003
【図２】
0003215626.tif 000004
【図３】
0003215626.tif 000005
【図４】
0003215626.tif 000006
【図５】
0003215626.tif 000007
【図６】
0003215626.tif 000008
【図７】
0003215626.tif 000009